(57)【要約】【課題】録音内容を示すタイトルやメモをキーボードのような多くのボタンを設けることなく容易に入力でき、所望の録音情報を的確に探し出すことができる音声記録再生装置を実現する。【解決手段】入力した音声をメイン音声として記録媒体に記録し、前記記録媒体に記録された前記メイン音声に関連する音声を入力し、該音声を付加音声情報として前記メイン音声に関連付けて前記記録媒体に記録する。前記記録媒体に記録された前記メイン音声を示すファイル番号を選択した後、該メイン音声に関連する前記付加音声情報が再生される。再生された付加音声により前記メイン音声の内容を確認することができる。【選択図】    図４
2004354921.tif 000002
【特許請求の範囲】
【請求項１】
入力した音声をメイン音声として記録媒体に記録する第１の音声記録手段と、
前記記録媒体に記録された前記メイン音声に関連する音声を入力し、該音声を付加音声情報として、前記メイン音声に関連付けて前記記録媒体に記録する第２の音声記録手段と、
前記記録媒体に記録された前記メイン音声を選択する選択手段と、
前記選択手段により選択された前記メイン音声に関連する前記付加音声情報を再生する付加音声再生手段と、
前記選択手段により選択された前記メイン音声を再生するメイン音声再生手段と、
を具備することを特徴とする音声記録再生装置。
【請求項２】
アナログ音声信号をデジタル信号に変換するＡ／Ｄ変換器と、前記デジタル信号を圧縮する圧縮部と、圧縮された前記デジタル信号を前記記録媒体に書き込む書込み部とを含む音声情報記録部を具備し、
前記第１及び第２の音声記録手段は共に前記音声情報記録部を用いて、同一の圧縮方式で前記入力した音声を前記記録媒体に記録することを特徴とする請求項１記載の音声記録再生装置。
【請求項３】
ユーザ指示を入力するための操作部を具備し、該操作部は操作ボタンとして、前記メイン音声の記録ボタン及び再生ボタン、前記付加音声情報の録音開始を指示する為の付加音声情報録音ボタン、前記付加音声情報の再生開始を指示する為の付加音声情報再生ボタンを具備することを特徴とする請求項１記載の音声記録再生装置。
【請求項４】
前記付加音声情報の記録時間は所定の時間に設定され、前記第２の音声記録手段は、該付加音声情報の記録開始後、前記所定の時間が経過すると付加音声情報の記録を停止することを特徴とする請求項１の音声記録再生装置。
【請求項５】
前記第２の音声記録手段は、付加音声情報の記録開始から、前記所定の時間が経過するまで、記録経過時間をカウントダウン表示することを特徴とする請求項４記載の音声記録再生装置。
【請求項６】
前記選択手段は前記選択されたメイン音声情報に関連付けられた付加音声情報が前記記録媒体に記録されている場合、該付加音声情報が記録されていることを表示することを特徴とする請求項１記載の音声記録再生装置。
【請求項７】
前記選択手段は前記選択されたメイン音声情報に関連付けられた付加音声情報が前記記録媒体に記録されている場合、該付加音声情報が記録されていることを表示する共に、該付加音声情報を再生することを特徴とする請求項１記載の音声記録再生装置。
【請求項８】
ユーザ指示を入力するための操作部を具備し、該操作部は操作ボタンとして、前記メイン音声を再生するための再生ボタンを有し、
前記選択手段は前記選択されたメイン音声情報に関連付けられた付加音声情報が前記記録媒体に記録されている場合、該付加音声情報が記録されていることを示す表示部を一定時間点滅表示し、
前記第２の音声記録手段は、該点滅表示中に前記再生ボタンの押下に応じて前記付加音声情報の再生を開始することを特徴とする請求項１の音声記録再生装置。
【請求項９】
前記第２の音声記録手段は、前記第１の音声記録手段により前記メイン音声が記録された後、該メイン音声に関連付けられた付加音声情報の記録を開始し、所定時間経過後に該付加音声情報の録音を停止することを特徴とする請求項１の音声記録再生装置。
【請求項１０】
入力した音声をメイン音声として記録媒体に記録するステップと、
前記記録媒体に記録された前記メイン音声に関連する音声を入力し、該音声を付加音声情報として、前記メイン音声に関連付けて前記記録媒体に記録するステップと、
を具備することを特徴とする付加音声情報記録方法。
【発明の詳細な説明】
【０００１】
【発明の属する技術分野】
この発明は音声をデジタルデータとして記録媒体に圧縮保存し、再生することが可能な音声記録再生装置に関する。
【０００２】
【従来の技術】
１回の録音で収録した音声データを圧縮しファイルとして半導体メモリカード等の記録媒体に記録する音声記録再生装置が普及している。更に、複数のファイルを記録媒体に記録し、各ファイルに「コメント」を付加して容易な検索を可能とした従来装置もある。このコメントは、録音されたファイルの内容を示すタイトル又はメモとして役立つ付加情報である。そのような従来装置では、コメントの入力は、数字、アルファベット、ひらがな、カタカナ、記号をキーボードのような複数のボタンを操作して１文字づつ行われる。従って、自由な文字入力が可能であるが、その入力は非常に煩雑で大変な作業を必要とする。
【０００３】
又、所望の録音部分を比較的容易に探し出すことができる音声記録再生装置として下記特許文献１に示す装置がある。この特許文献に開示される装置では、ＩＣメモリに一連の音声データと共にインデックス情報が記録され、データ再生時にインデックス情報を指定することによって、該インデックス情報によって認識されるデータ記録開始位置から、音声データの再生が開始される。ＩＣメモリに一連の音声データが記録される過程で、一定の周期で各周期内に記録されることとなる音声データにインデックス情報がマイクロコンピュータにより付加される。
【０００４】
【特許文献１】
特開２０００−２３６０９７（第３頁、図３）
【０００５】
【発明が解決しようとする課題】
上記特許文献１に示される装置の場合、インデックス情報では録音された音声データの内容を理解することはできず、録音件数が多数に及んだ場合、所望の音声データを的確に選択することはできない。
【０００６】
従って本発明は、録音内容を示すタイトルやメモをキーボードのような多くのボタンを設けることなく容易に入力でき、所望の録音情報を的確に探し出すことができる音声記録再生装置を実現することを目的とする。
【０００７】
【課題を解決するための手段】
上記目的を達成するために本発明の音声記録装置は、入力した音声をメイン音声として記録媒体に記録する第１の音声記録手段と、前記記録媒体に記録された前記メイン音声に関連する音声を入力し、該音声を付加音声情報として、前記メイン音声に関連付けて前記記録媒体に記録する第２の音声記録手段と、前記記録媒体に記録された前記メイン音声を選択する選択手段と、前記選択手段により選択された前記メイン音声に関連する前記付加音声情報を再生する付加音声再生手段と、前記選択手段により選択された前記メイン音声を再生するメイン音声再生手段とを具備する。
【０００８】
録音内容を示すタイトルやメモの入力を容易にするために、録音内容に関連付けられた付加情報として音声情報が記録され、該音声情報を再生することで、録音内容の検索を容易に行うこことができる。付加情報として記録される「タイトル」の入力は煩雑なボタンによる入力内容の選択を必要としない。
【０００９】
【発明の実施の形態】
以下、図面を参照しながら本発明の実施の形態について詳細に説明する。
【００１０】
図１は本発明に係る音声記録再生装置のブロック構成図である。操作ボタン部１１はユーザ指示を入力するためのユーザインターフェースであって、録音ボタン１１ａ、再生ボタン１１ｂ、停止ボタン１１ｃ、送りボタン１１ｄ、戻しボタン１１ｅ、タイトル録音ボタン１１ｆを含み、更に必要に応じてタイトル再生ボタン１１ｇを含む。システム制御部（ＣＰＵ）５は、ユーザにより押下されたボタンに応じて本装置内の各回路ブロックを制御する。
【００１１】
マイク１は入力された音声を音声信号に変換し、アンプ２は該音声信号を増幅する。Ａ／Ｄ変換器３はアンプ２から供給されたアナログ音声信号をデジタル信号に変換する。デジタル信号処理部（ＤＳＰ）４はシステム制御部５の制御の下に、Ａ／Ｄ変換器３から供給されるデジタル信号を圧縮（エンコード）する。システム制御部５は圧縮されたデータを１つのファイルとして記憶媒体（半導体メモリ）６に記録する。
【００１２】
表示部７は例えばＬＣＤ（液晶表示装置）からなり、ファイル番号表示部７ａ、音声タイトルモード表示部７ｂ、再生モード表示部７ｃ、録音モード表示部７ｄ、録音又は再生経過時間表示部７ｅを含む。
【００１３】
システム制御部５は音声再生時、記録媒体６にファイルとして記録された音声データを読出し、ＤＳＰ４によりデコード（伸長）する。デコードされた音声データはＤ／Ａ変換器８によりアナログ音声信号に変換され、アンプ９により増幅され、スピーカ１０により音声として出力される。
【００１４】
次に本発明による音声記録再生装置の動作を詳細に説明する。
【００１５】
図２は本発明に係る動作のメインフローを示すフローチャートである。以下の説明において、記録再生装置で通常に録音する音声データを「メイン音声」と呼び、記録されたメイン音声に関連付けられ、メイン音声の内容を説明する為に録音された音声情報からなるデータを「音声タイトル」と呼ぶ。
【００１６】
（１）「メイン音声」の録音動作
図２のステップＳＴ０１のように、操作ボタン部１１の録音ボタン１１ａの押下に応じて装置は録音モードとなり、システム制御部５はマイクから入力された音声をメイン音声として記録媒体６に記録する。
【００１７】
図３はメイン音声の記録動作を示すフローチャートである。表示部７は録音状態を表示する（ＳＴ１１）。つまり表示部７は、動作モードが録音モードであることを示す録音モード表示部７ｄ及び録音の経過時間を示す録音経過時間表示部７ｅを表示すると共に、録音データファイル番号表示部７ａには、記録している録音データのファイルに割り付けられた番号を表示する。この時、上記したようにマイク１から入力された音声は、アンプ２で増幅されＡ／Ｄ変換器３でデジタル信号に変換され（ＳＴ２２）、ＤＳＰ４で圧縮され（ＳＴ２３）、記録媒体６に順次記録される。この時、記録媒体６に記録されたメイン音声のデータは１つのファイルとして保存される（ＳＴ２４）。
【００１８】
操作ボタン部１１の停止ボタン１１ｃが押下されると（ＳＴ２５でＹＥＳの場合）、システム制御部５は表示部７での録音状態の表示を消し（ＳＴ２６）録音を終了する。
【００１９】
尚、このメイン音声の録音開始と終了は、操作ボタン部１１の録音ボタン１１ａを録音ＯＮ／ＯＦＦスイッチの形で構成して、録音スイッチＯＮで録音開始し、録音スイッチＯＦＦで録音を終了するように構成することも可能である。
【００２０】
（２）「音声タイトル」の録音動作
録音されたメイン音声のファイルは、図２のステップＳＴ０２のように、操作ボタン部１１の送りボタン１１ｄ又は戻しボタン１１ｅを押すことで検索できる。即ち、システム制御部５は、送りボタン１１ｄ又は戻しボタン１１ｅの押下に応じて、記録媒体６に保存されているメイン音声の録音データファイルを順次選択し、選択されているメイン音声のファイル番号を表示部７のファイル番号表示部７ａに表示する（ＳＴ０３）。
【００２１】
この状態でシステム制御部５は、ステップＳＴ０４のようにタイトル録音ボタン１１ｆが押下されたか判断し、押下された場合（ＹＥＳの場合）、選択されている録音データファイルに関連付けられた音声タイトルの録音モードとなる。
【００２２】
図４は音声タイトルの記録動作を示すフローチャートである。表示部７は音声タイトルの録音状態を表示する（ＳＴ２１）。つまり表示部７は録音モード表示部７ｄを表示すると同時に、音声タイトルモード表示部７ｂを点滅表示して音声タイトルの録音中であることを示し、更に録音経過時間表示部７ｅにより音声タイトル録音経過時間を表示する。この状態で、メイン音声の内容を説明するための音声によるタイトル情報をマイク１から入力することができる。
【００２３】
入力された音声は、図３のメイン音声の録音と同様にアンプ２で増幅され、システム制御部５の制御の下にＡ／Ｄ変換器３でデジタル信号に変換され、デジタル信号処理部５で圧縮され、選択されているメイン音声データファイルの終端部分に記録される。つまり音声タイトルは選択されているメイン音声データファイルの１部として記録媒体６に記録される（ＳＴ２２）。これによって、メイン音声と音声タイトルは１つのファイルとして構成され、特別なリンク情報を必要とせずに、互いに関連付けられた状態で記録媒体６に記録することができる。
【００２４】
音声タイトルの録音はシステム制御部５の制御の下に、所定の時間経過後に自動的に終了する（ＳＴ２３）。システム制御部５は音声タイトルの録音状態の表示（録音モード表示部７ｄ、音声タイトルモード表示部７ｂの点滅表示）を消す（ＳＴ２４）。尚、この音声タイトルの録音終了動作は、操作ボタン部１１の停止ボタン１１ｃを押すことで行ったり、タイトル録音ボタン１１ｆを押している期間中録音を行いタイトル録音ボタンを離すと録音を終了するようにしてもよい。又、音声タイトルの録音中、録音経過時間表示部７ｅの表示を録音残り時間のカウントダウン表示にしても良い。更に、この音声タイトルの録音は、メイン音声の記録終了と共に自動的に開始し、所定時間後に終了しても良い。その場合、タイトル録音ボタン１１ｆを設ける必要はない。
【００２５】
（３）メイン音声の再生動作
図２のステップＳＴ０３のように、ファイル番号が検索及び表示されている状態で、ステップＳＴ０５のように再生ボタン１１ｂが押下されると（ＹＥＳの場合）、システム制御部５は、表示されているファイル番号に対応するメイン音声を再生する。
【００２６】
図５はメイン音声の再生動作を示すフローチャートである。即ちシステム制御部５は再生モード表示部７ｃを表示し（ＳＴ３１）、記録媒体６からメイン音声の録音データを順次読み出し（ＳＴ３２）、デジタル信号処理部４に送る。デジタル信号処理部４は圧縮されていた録音データを伸張し（ＳＴ３３）、Ｄ／Ａ変換器８は伸張された音声データをアナログ音声信号に変換し、該音声信号はアンプ９で増幅されスピーカ１０から音声として再生される（ＳＴ３４）。停止ボタンが１１ｃが押下されるか、メイン音声の再生が終了すると（ＳＴ３５でＹＥＳの場合）、システム制御部５は再生モード表示部７ｃの表示を消す（ＳＴ３６）。
【００２７】
（４）音声タイトルの再生動作
図２のステップＳＴ０６でシステム制御部５は、ステップＳＴ０２及びＳＴ０３により選択されたメイン音声に、音声タイトルが関連付けて記録されているか判断する。メイン音声に音声タイトルが関連付けて記録されている場合（ＳＴ０６でＹＥＳの場合）、フローは図６のステップＳＴ３１に移行する。ステップＳＴ３１でシステム制御部５は、表示部７の音声タイトルモード表示部７ｂを所定時間点滅表示し、音声タイトルが存在することを示す。この点滅中に、操作ボタン部１１の再生ボタン１１ｂを押下することで（ＳＴ３２でＹＥＳ）、システム制御部５は音声タイトルを再生する（ＳＴ３３）。
【００２８】
この音声タイトルの再生は、図５のメイン音声の再生と同様に行われる。即ちシステム制御部５は、再生表示部７ｃを表示すると同時に音声タイトルモード表示部７ｂを点滅表示して、音声タイトルの再生タイトルの再生中であることを示し、選択中のメイン音声に関連付けられた音声タイトルを記録媒体６から読み出す。読み出された音声タイトルはデジタル信号処理部４により伸張され、Ｄ／Ａ変換器８でアナログ信号に変換され、アンプ９で増幅され、スピーカ１０から音声として再生される。この音声タイトルの再生によって、選択されたメイン音声の録音内容を簡単に知ることができる。
【００２９】
尚、図１のように操作ボタン部１１にタイトル再生ボタン１１ｇを設け、このタイトル再生ボタン１１ｇの押下に応じて、選択されているメイン音声に関連付けされた音声タイトルを再生するように構成してもよい。
【００３０】
（５）音声タイトルの変更動作
図６のステップＳＴ３１のように、タイトル音声モード表示部７ｂが点滅表示されている状態で、ステップＳＴ３５のようにタイトル録音ボタン１１ｆが押下されると（ＹＥＳの場合）、ステップＳＴ３６のように既に記録された音声タイトルを変更することができる。
【００３１】
このタイトルの変更は、既存の音声タイトルのデータを消去した後、図４の音声タイトルの記録と同様に行われる。即ちシステム制御部５は、録音モード表示部７ｄを表示すると同時に、音声タイトルモード表示部７ｂを点滅表示して音声タイトルの録音中であることを示し、新たにマイク１から入力された音声信号を音声タイトルとして記録媒体６に記録する。この音声タイトルは、選択されているファイル番号のファイルの１部として記録される。
【００３２】
以上説明したように、録音内容に関連付けられたタイトルやメモ等の付加情報を、文字情報としてではなく、音声情報として記録、再生できるようにすることで、録音済みのファイルの検索が容易になる。
【００３３】
又、タイトルやメモなどの情報が、文字情報ではなく音声情報なので、音声記録再生装置に本来基本機能として保有している音声入力機能と音声出力機能を利用することができるので、付加情報の入力及び出力の為に追加するべき回路や、装置が少なくて済み、その結果、小型軽量な装置を実現できること。
【００３４】
録音済みの内容を検索する場合、文字情報による検索では、情報を目でとらえて読む必要がある為、装置の表示部を注視していなければならないが、音声情報による検索であれば、装置の操作を覚えれば、装置の表示部を注視する必要がなく、録音内容の検索中にも視線は他のものに向けることが可能になり、他の作業を行いながら録音内容の検索が可能となる。
【００３５】
従来、メイン音声情報が複数記録された音声記録再生装置では、記録されているメイン音声情報の内容を知るためにはそれぞれのメイン音声を再生する必要がある。しかし本実施形態によれば、メイン音声に関連付けられた付加音声情報として、メイン音声情報の内容を示す音声情報が記録され、これを再生することで、メイン音声を再生しなくても、その内容又は探したいメイン音声であるかどうかを知る手がかりが得られる。従って、複数のメイン音声情報の中から、目的のメイン音声情報を検索することが容易となる。
【００３６】
メイン音声情報に関連付けられた付加情報として、文字情報を使用する方法も考えられるが、文字情報を使用した場合には、その文字情報を記録する為の入力手段の為に、キーボードのような入力部が必要になったり、小型携帯の装置として構成する場合には少数のボタン等のスイッチによって多くの文字を選択しながら入力する必要があり、操作が非常に煩雑になる。一方、本実施形態による付加音声情報を使用した場合には入力部として、本来音声記録再生装置が基本機能としてメイン音声情報を入力する手段として持っている音声入力部を使うことが可能であり、音声記録再生装置として追加して必要となる構成要素は付加音声情報の記録開始、記録終了、再生開始、及び再生終了のトリガーをかける為の操作スイッチがのみで済む。従って、携帯用音声記録再生装置として構成する場合にも小型軽量になると共に、構成要素の追加によるコストアップを防止することが可能となる。
【００３７】
次に、上記ファイルのデータ構造について説明する。
【００３８】
図７はメイン音声および音声タイトルの録音データを含めた１つのファイル、つまり１件の録音の構造を示す。
【００３９】
１件の録音はファイル先頭部分のファイルヘッダー部１０１とそれに続くメイン音声データ部１０２、及び音声タイトルデータ部１０３から成り、それぞれの部分は所定サイズのパケット１０１Ａ、１０２Ａ、１０３Ａの集合体として各々構成される。更に、各パケットは先頭部分にパケットの種類を識別する所定サイズの識別データがパケットヘッダ１０１ａ、１０２ａ、１０３ａとして配置され、それに続いて各パケットのデータ１０１ｂ、１０２ｂ、１０３ｂが配置される。例えば１０１ａの識別データＡはファイルヘッダ部のパケットヘッダであることを示すデータが格納され、複数の識別データＡは全て同一である。
【００４０】
ファイルヘッダー部１０１のファイルヘッダーデータ１０１ｂには、そのファイルに付属する、インデックス情報など音声以外の付加情報が記録される。このインデックス情報はファイルの検索に役立つブックマーク情報等を示す。メイン音声のデータは、メイン音声データ部１０２の各パケットにメイン音声データ１０２ｂとして記録される。
【００４１】
音声タイトルデータ部１０３はメイン音声に関連付けられた音声タイトルを記録する領域で、メイン音声データ部１０２と同じ構造を持つ。記録されているメイン音声データ１０２ｂと音声タイトルデータ１０３ｂは、同じ音声圧縮形式によって圧縮されたデータであり、識別データＢの１０２ａと識別データＣの１０３ａが異なる。
【００４２】
また、メイン音声に関連付けされた音声タイトルが記録されていないファイルは、音声タイトルデータ部１０３が無く、ファイルヘッダー部１０１とメイン音声データ部１０２のみで１件のファイルが構成される。
【００４３】
メイン音声録音データとこれに関連付けられた音声タイトル録音データの記録媒体６への記録は以下のようにして行う。
【００４４】
最初にメイン音声を記録する時には、先ず識別データＡ（１０１ａ）が各パケットの先頭に付加されたファイルヘッダー部１０１を作成する。ファイルヘッダー部１０１に続く領域には、識別データＢが各パケットの先頭に付加されたメイン音声データ１０２ａを順次記録する。メイン音声データ部１０２の最後のパケットを書き込み、メイン音声データの記録を終了すると、必要に応じて先頭のファイルヘッダー部のファイルヘッダーデータを更新し、１件の録音を終了する。
【００４５】
その後、このファイルのメイン音声に関連付けた音声タイトルを付加する場合には、メイン音声データ部１０２の最後の部分に追加する形で、識別データＣを各パケットの先頭に付加した音声タイトルデータを順次記録する。
【００４６】
尚、各ファイルの先頭アドレスと最終アドレス（又は先頭アドレスと当該ファイルのデータ長）は、システム制御部５によりＦＡＴ（ｆｉｌｅ  ａｌｌｏｃａｔｉｏｎ  ｔａｂｌｅ）６ａとして記録媒体６に記録される。１件のファイルが記録媒体６において複数の領域に分割されて記録された場合、各領域の開始アドレス及び最終アドレス（又は先頭アドレスと当該領域のデータ長）がＦＡＴに１件のファイルの記録場所として記録される。例えばファイル番号ｎのメイン音声データ部１０２の後に、次のファイル番号（ｎ＋１）のファイルを記録し、後にファイル番号ｎの音声タイトルデータ部１０３を記録した場合、該音声タイルデータ部１０３の先頭アドレス及び最終アドレス（又は先頭アドレスと当該データ部のデータ長）はＦＡＴ６ａに記録され、該先頭アドレスはファイル番号ｎのファイルのジャンプ先アドレスとして参照される。つまりＦＡＴ６ａには各ファイルの再生順序を示すアドレスが格納される。
【００４７】
【発明の効果】
録音内容を示すタイトルやメモが、キーボードのような多くのボタンによる入力ではなく音声により容易に入力でき、再生の際は所望の録音情報を的確に探し出すことができる音声記録再生装置が実現される。
【図面の簡単な説明】
【図１】本発明に係る音声記録再生装置のブロック構成図。
【図２】本発明に係る動作のメインフローを示すフローチャート。
【図３】メイン音声の記録動作を示すフローチャートである。
【図４】音声タイトルの記録動作を示すフローチャート。
【図５】メイン音声の再生動作を示すフローチャート。
【図６】音声タイトルの再生及び変更動作を示すフローチャート。
【図７】メイン音声および音声タイトルの録音データを含めた１つのファイルの構造を示す。
【図１】
2004354921.tif 000003
【図２】
2004354921.tif 000004
【図３】
2004354921.tif 000005
【図４】
2004354921.tif 000006
【図５】
2004354921.tif 000007
【図６】
2004354921.tif 000008
【図７】
2004354921.tif 000009